(57)【特許請求の範囲】
【請求項１】
鍵盤が操作されることによって音を発するグランド型玩具ピアノの発音装置であって、
前記鍵盤が載置された筬と、
前記鍵盤を構成し、各々が前後方向に延びるとともに長さ方向の中央付近において前記筬に揺動自在に支持され、左右方向に並設された複数の鍵と、
各々が対応する前記鍵の音階に応じて前後方向に所定長さを延びるとともに前記複数の鍵に対応するように左右方向に並設され、押鍵時に音を発するための複数の発音体と、
各々が前後方向に延びるとともに、前記複数の鍵の各々の後部にそれぞれ、左右方向に延びる軸線を中心として、前端部において回動自在に支持され、押鍵時に押鍵された鍵に連動して上方に回動し、対応する前記発音体に後端部が衝突することにより、当該発音体から音を発生させる複数のハンマーと、
を備え、
前記ハンマーは、前記軸線よりも前方に突出する突出爪を有しており、
離鍵状態において前記突出爪が当接し、押鍵の開始当初において、前記突出爪との当接が継続することにより、押鍵される鍵に対する姿勢を保持しながら、当該鍵と一体に揺動させるハンマー姿勢保持部を、さらに備えていることを特徴とするグランド型玩具ピアノの発音装置。
【請求項２】
前記ハンマー姿勢保持部は、前記ハンマーの前記突出爪が摺接する摺接面を有しており、
当該摺接面は、側面形状が前記鍵を揺動自在に支持する前記筬の支点を中心とする円弧状に形成されていることを特徴とする請求項１に記載のグランド型玩具ピアノの発音装置。
【請求項３】
前記ハンマー姿勢保持部は、前記筬に一体に設けられ、前記摺接面が当該筬の後端部に形成されていることを特徴とする請求項２に記載のグランド型玩具ピアノの発音装置。
【請求項４】
前記筬の後端部には、前記摺接面の上方にストッパが設けられており、
当該ストッパは、押鍵途中に当該鍵に対応するハンマーの前記突出爪が下方から当接し、それ以上の当該突出爪の上方への移動を阻止することにより、当該突出爪との当接部位を支点として、前記ハンマーを前記発音体側に回動させるように構成されていることを特徴とする請求項３に記載のグランド型玩具ピアノの発音装置。
【発明の詳細な説明】
【技術分野】
【０００１】
本発明は、鍵盤が操作されることによって音を発する玩具ピアノにおいて、押鍵に連動するハンマーを発音体に衝突させることにより良好な音色を得ることができるとともに、グランドピアノに近似した外観を有するグランド型玩具ピアノの発音装置に関する。
【背景技術】
【０００２】
従来のグランド型の玩具ピアノとして、例えば本出願人がすでに出願した特許文献１に開示されたものが知られている。この玩具ピアノは、奥行き寸法が低音側で長く、高音側で短い所定形状を有するケースと、前後方向に延びるとともに互いに左右方向に並設された複数の鍵を有する鍵盤と、ケース内に鍵ごとに設けられ、押鍵に伴って押し上げられる複数のハンマーと、各鍵に対応するように設けられ、押し上げられたハンマーで下方から打たれることによって音を発する複数の音片（以下「発音体」という）などを備えている。
【０００３】
鍵盤の各鍵は、前半部がケースから外部に露出するとともに、後半部がケース内に収容された状態で、長さ方向の中央付近を支点として、揺動自在に支持されている。各ハンマーは、櫛歯状に形成された支持部材において、各々が後方に向かって前下がりに延びるハンマーシャンクの先端部に取り付けられており、各鍵の後端部とその上方の発音体との間に配置されている。各発音体は、前後方向に水平に延び、音階に応じた所定長さを有しており、具体的には、低音側で長く、高音側で短い長さ寸法を有している。そして、これらの発音体は、ケース内において、鍵に対応して互いに左右方向に並設されている。
【０００４】
この玩具ピアノでは、鍵が押し下げられると、その鍵は前下がりに揺動し、後端部でハンマーシャンクを下方から押圧することによって、ハンマーを押し上げる。そのハンマーは、上方の発音体に対し、その長さ方向の中央付近に下方から衝突することによって発音体を振動させ、それにより、押鍵された鍵の音階に対応する音が発生する。
【先行技術文献】
【特許文献】
【０００５】
【特許文献１】実公平５−３８７８９号公報
【発明の概要】
【発明が解決しようとする課題】
【０００６】
上記の玩具ピアノでは、鍵が押し下げられる前の離鍵状態において、ハンマーシャンクは、ハンマーが取り付けられた先端部（後ろ側の端部）に向かって前下がりに傾斜している。このため、押鍵の開始当初には、ハンマーの重量に対し、ハンマーシャンクの張力による上向きの分力が作用することにより、ハンマーを押し上げる際の鍵のタッチ感が非常に軽くなってしまう。また、鍵をゆっくりと押鍵するなど、押鍵強さが弱いときには、ハンマーで発音体を適切に打つことができないことがあり、この場合には、音を十分に発生させることができない。さらに、本物のグランドピアノでは一般に、打弦機構のアクションにより、押鍵途中の鍵のタッチ感が重い状態から軽い状態に変化する、いわゆるレットオフ感が得られるものの、上記の玩具ピアノでは、そのようなレットオフ感が得られない。
【０００７】
本発明は、以上のような課題を解決するためになされたものであり、押鍵の開始当初から適度なタッチ感を得ることができ、また、押鍵強さに応じた音量が得られるとともに、本物のグランドピアノに近似したレットオフ感を得ることができるグランド型玩具ピアノの発音装置を提供することを目的とする。
【課題を解決するための手段】
【０００８】
上記の目的を達成するために、請求項１に係る発明は、鍵盤が操作されることによって音を発するグランド型玩具ピアノの発音装置であって、鍵盤が載置された筬と、鍵盤を構成し、各々が前後方向に延びるとともに長さ方向の中央付近において筬に揺動自在に支持され、左右方向に並設された複数の鍵と、各々が対応する鍵の音階に応じて前後方向に所定長さを延びるとともに複数の鍵に対応するように左右方向に並設され、押鍵時に音を発するための複数の発音体と、各々が前後方向に延びるとともに、複数の鍵の各々の後部にそれぞれ、左右方向に延びる軸線を中心として、前端部において回動自在に支持され、押鍵時に押鍵された鍵に連動して上方に回動し、対応する発音体に後端部が衝突することにより、発音体から音を発生させる複数のハンマーと、を備え、ハンマーは、軸線よりも前方に突出する突出爪を有しており、離鍵状態において突出爪が当接し、押鍵の開始当初において、突出爪との当接が継続することにより、押鍵される鍵に対する姿勢を保持しながら、鍵と一体に揺動させるハンマー姿勢保持部を、さらに備えていることを特徴とする。
【０００９】
この構成によれば、鍵盤が筬に載置され、その鍵盤を構成する複数の鍵の各々が、前後方向に延びるとともに長さ方向の中央付近において筬に揺動自在に支持され、左右方向に並設されている。また、対応する鍵の音階に応じてそれぞれ前後方向に所定長さ延びる複数の発音体が、複数の鍵に対応するように左右方向に並設されている。さらに、各々が前後方向に延びる複数のハンマーが、その前端部において、左右方向に延びる軸線を中心として、鍵の後端部に回動自在に支持されている。この玩具ピアノでは、押鍵時に鍵が押し下げられると、それに連動するハンマーが上方に回動し、そのハンマーの後端部が発音体に衝突する。これにより、その発音体が振動し、押鍵された鍵の音階に対応する音が発生する。
【００１０】
上記の各ハンマーには、鍵の後端部に回動自在に支持された部位（軸線）よりも前方に突出する突出爪が設けられている。この突出爪は、ハンマー姿勢保持部に対し、離鍵状態において当接するとともに、押鍵の開始当初においても、当接が継続する。これにより、押鍵の開始当初には、ハンマーは、押鍵される鍵に対して回動することなく、姿勢が保持されながら、その鍵と一体に揺動する。したがって、押鍵の開始当初から、鍵にはハンマーの重さが伝わり、それにより、適度なタッチ感を得ることができる。
【００１１】
請求項２に係る発明は、請求項１に記載のグランド型玩具ピアノの発音装置において、ハンマー姿勢保持部は、ハンマーの突出爪が摺接する摺接面を有しており、摺接面は、側面形状が鍵を揺動自在に支持する筬の支点を中心とする円弧状に形成されていることを特徴とする。
【００１２】
この構成によれば、ハンマー姿勢保持部の摺接面は、側面形状が鍵を揺動自在に支持する筬の支点を中心とする円弧状に形成されているので、ハンマーの突出爪が上記の摺接面に当接している間、鍵に対するハンマーの姿勢を容易に保持することができ、それにより、押鍵される鍵とそれに回動自在に支持されたハンマーとの一体の揺動を容易に確保することができる。
【００１３】
請求項３に係る発明は、請求項２に記載のグランド型玩具ピアノの発音装置において、ハンマー姿勢保持部は、筬に一体に設けられ、摺接面が筬の後端部に形成されていることを特徴とする。
【００１４】
この構成によれば、ハンマー姿勢保持部が筬に一体に設けられ、ハンマー姿勢保持部の摺接面が筬の後端部に形成されている。これにより、例えばハンマー姿勢保持部を合成樹脂による成形品で構成する場合に、その成形時に、ハンマー姿勢保持部の摺接面を筬の後端部に容易に形成することができる。
【００１５】
請求項４に係る発明は、請求項３に記載のグランド型玩具ピアノの発音装置において、筬の後端部には、摺接面の上方にストッパが設けられており、ストッパは、押鍵途中に鍵に対応するハンマーの突出爪が下方から当接し、それ以上の突出爪の上方への移動を阻止することにより、突出爪との当接部位を支点として、ハンマーを発音体側に回動させるように構成されていることを特徴とする。
【００１６】
この構成によれば、押鍵を開始すると、鍵と一体に揺動するハンマーは、押鍵途中において、突出爪が上記ストッパに下方から当接し、それ以上の突出爪の上方への移動が阻止される。その後、押鍵がさらに進むことで、鍵の後端部が上方に移動することにより、ハンマーの鍵に支持された部位が引き上げられる。これにより、ハンマーは、突出爪のストッパとの当接部位を支点として、上方の発音体側に回動し、後端部が発音体に衝突する。
【００１７】
この場合、押鍵強さが弱くても、突出爪がストッパに当接した後のハンマーの回動を確保でき、その結果、ハンマーが発音体を打つことで、音を発生させることができる。また、押鍵強さが強いときには、ハンマーが鍵と一体に迅速に揺動するとともに、突出爪のストッパとの当接後、ハンマーが勢い良く回動して発音体を打ち、大きな音が発生する。以上のように、本発明によれば、押鍵強さが弱いときの発音を確保できるとともに、押鍵強さに応じた音量を得ることができる。
【００１８】
さらに、押鍵時に、ハンマーの突出爪がストッパに当接するまでは、ハンマーが鍵と一体に揺動することで、ハンマーの重さが鍵に伝わるとともに、突出爪が摺接面を摺動する際の摩擦力により、タッチ感が比較的重く感じられる。そして、突出爪がストッパに当接すると、鍵と一体のハンマーの揺動が瞬間的に阻止されるとともに、ハンマーが発音体側に回動する際の反力によって、タッチ感が急激に重くなる。以上のようなタッチ感の変化により、本発明の玩具ピアノにおいて、本物のグランドピアノに近似したレットオフ感を得ることができる。
【図面の簡単な説明】
【００１９】
【図１】本発明の一実施形態による発音装置を適用したグランド型の玩具ピアノの外観を示す斜視図である。
【図２】（ａ）は、図１の玩具ピアノの内部構造を示す右側面図であり、（ｂ）は、筬、鍵及びハンマーを分解して示す図である。
【図３】押鍵時の動作を説明するための説明図であり、（ａ）は鍵が押し下げられる前の離鍵状態、（ｂ）はその時のハンマーと筬の当接部分を拡大して示す。
【図４】図３に続く説明図であり、（ａ）は鍵が押し下げられ、ハンマーの突出爪の上面が筬のストッパに当接した状態、（ｂ）はその時のハンマーと筬の当接部分を拡大して示す。
【図５】図４に続く説明図であり、（ａ）は鍵がさらに押し下げられ、ハンマーがストッパに当接した突出爪の上面を支点として反時計方向に回動した状態、（ｂ）はその時のハンマーと筬の当接部分を拡大して示す。
【図６】図５に続く説明図であり、（ａ）は鍵がさらに押し下げられ、ハンマーが発音体を打った状態、（ｂ）はその時のハンマーと筬の当接部分を拡大して示す。
【発明を実施するための形態】
【００２０】
以下、図面を参照しながら、本発明の好ましい実施形態を詳細に説明する。図１は、本発明の一実施形態による発音装置を適用したグランド型の玩具ピアノの外観を示しており、図２（ａ）は、その玩具ピアノの内部構造を示している。両図に示すように、この玩具ピアノ１は、所定の外形を有する木製のケース２と、このケース２の前部に設けられた鍵盤３と、この鍵盤３が操作されることによって音を発する発音装置４とを備えている。なお、ケース２の底面には、上下方向に所定長さを有する４つ（図１では２つのみ図示）の脚部１ｂが設けられている。
【００２１】
ケース２は、所定の平面形状を有する平板状の棚板２ａと、所定の高さを有し、棚板２ａの側方に、その縁部に沿って連続して延びるように設けられた側板２ｂと、鍵盤３の上側において、側板２ｂの前部の左右両側を連結するように設けられた横長矩形状の前框２ｃと、側板２ｂ及び前框２ｃの上端に載置された状態で設けられた大屋根２ｄなどで構成されている。棚板２ａの上面には、鍵盤３を支持するための筬５が載置された状態で固定されている。
【００２２】
筬５は、合成樹脂から成り、平面形状が井桁状に形成されている。この筬５の前後方向（図２の左右方向）の中央よりも後方の所定位置には、上方に所定長さ突出しかつ左右方向（図２の表裏方向）の全体にわたって延び、鍵盤３の各鍵６を揺動自在に支持する鍵支持レール５ａが設けられている。また、筬５には、鍵支持レール５ａの前方及び後方の所定位置にそれぞれ、上方に所定長さ突出し、鍵盤３の鍵６と同じ数分、左右方向に並設された前側鍵ガイド５ｂ及び後ろ側鍵ガイド５ｃが設けられている。
【００２３】
さらに、筬５の後端部には、後述するハンマー８の突出爪９が摺接する摺接面５ｄ（ハンマー姿勢保持部）が形成されるとともに、その摺接面５ｄの上方に、後方に突出するストッパ５ｅが設けられている。これらの摺接面５ｄ及びストッパ５ｅは、筬５の左右方向の全体にわたって延びるように形成されている。
【００２４】
上記の摺接面５ｄは、鍵支持レール５ａの上端、すなわち各鍵６を揺動自在に支持する支点を中心とする円弧状に形成されている。
【００２５】
上記のストッパ５ｅは、押鍵時に、ハンマー８の突出爪９が下方から当接したときに、その突出爪９の上方への移動を阻止するものである。加えて、ストッパ５ｅは、鍵盤３の各鍵６の後端部が上方から当接することにより、鍵６の後方への揺動を阻止するとともに、全ての鍵６を適正な位置に保持する機能を有している。
【００２６】
また、ストッパ５ｅの上面及び下面には、左右方向の全体にわたり、フェルトなどから成る緩衝材が取り付けられている。したがって、ストッパ５ｅにハンマー８の突出爪９や鍵６の後端部が当接しても、その際に生じやすい雑音の発生を低減することができる。以上のように構成された筬５上に、鍵盤３が載置され、下方から支持されている。
【００２７】
鍵盤３は、白鍵６ａ及び黒鍵６ｂから成る複数（本実施形態では３２本）の合成樹脂製の鍵６で構成されている。図２（ｂ）に示すように、鍵６は、前後方向（同図の左右方向）に所定長さ延びており、後部（同図の右部）の所定位置には、下方に所定長さ突出し、後述するハンマー８が連結されるハンマー連結部７が設けられている。このハンマー連結部７の所定位置には、左右方向に貫通し、ハンマー８の後述する支軸８ａが係合する軸孔７ａが形成されている。また、鍵６の前後方向の中央付近の所定位置には、下方に開放する凹状の支点受け部６ｃが設けられており、前述した筬５の鍵支持レール５ａに係合している。したがって、鍵６は、鍵支持レール５ａの上端を支点として、前後に揺動自在に支持されている。
【００２８】
なお、図示は省略するが、鍵６は、大部分が下方に開放する断面コ字状に形成されるとともに、後部が左右に分岐する二股状に形成されている。そして、前述した筬５の前側鍵ガイド５ｂ及び後ろ側鍵ガイド５ｃがそれぞれ、鍵６の前部及び後部に下方から挿入した状態で係合している。これにより、鍵６は、押鍵時に、左右の横振れが防止されながら、円滑に揺動する。
【００２９】
発音装置４は、上記の鍵盤３及び筬５と、各々が前後方向に延び、各鍵６の後部のハンマー連結部７に回動自在に連結された複数のハンマー８と、これらのハンマー８の上方において、各々が前後方向に延び、ハンマー８で下方から打たれることによって音を発する複数の発音体１０とを備えている。
【００３０】
図２（ｂ）に示すように、ハンマー８は、合成樹脂から成り、前後方向に所定長さ延びるロッド状に形成されている。ハンマー８の前端部には、左右の両側面にそれぞれ、突起状の支軸８ａ（軸線）が設けられている。
【００３１】
また、ハンマー８の前端部には、支軸８ａよりも前方に突出する突出爪９が設けられている。この突出爪９は、前下がりに傾斜した前面９ａ及び水平な上面９ｂを有している。
【００３２】
さらに、ハンマー８の後端部には、上方に凸状に形成され、側面形状がリング状のハンマー本体部８ｂが設けられるとともに、このハンマー本体部８ｂの下端部から後ろ下がりに傾斜するヒレ部８ｃが設けられている。
【００３３】
以上のように構成されたハンマー８では、左右の支軸８ａ、８ａがそれぞれ、鍵６の二股状のハンマー連結部７の左右の軸孔７ａ、７ａに内側から遊挿されている。これにより、ハンマー８は、鍵６に対し、支軸８ａを中心として回動自在に連結されている。
【００３４】
また、図２（ａ）に示すように、鍵６が押し下げられる前の離鍵状態では、ハンマー８は、対応する鍵６とともに前後方向に一直線状に延びた姿勢になっている。この場合、ハンマー８の前端部の突出爪９は、筬５の後端付近に位置している。より具体的には、突出爪９の前面９ａが筬５の摺接面５ｄに当接し、かつ、突出爪９の上面９ｂが筬５のストッパ５ｅの下方に所定の隙間を存した状態で位置している。また、ハンマー８の後端部のヒレ部８ｃは、棚板２ａ上のクッション１１に載置されている。なお、クッション１１は、帯状のウレタンなどから成り、左右方向に延びた状態で棚板２ａの所定位置に、接着によって固定されている。
【００３５】
発音体１０は、アルミなどの金属製パイプから成り、鍵６の音階に応じて前後方向に所定長さ延びるとともに、鍵６に対応するように左右方向に並設されている。より具体的には、発音体１０は、低音側で長く、高音側で短い長さ寸法を有しており、鍵６と同じ数分（本実施形態では３２本、図２（ａ）では１本のみ図示）、設けられている。
【００３６】
また、これらの発音体１０は、上支持板１２と、前後２つの下支持板１３ａ、１３ｂとにより、後述する発音体挟持部材１４を介して、上下から挟まれた状態で、ケース２内の所定の位置及び高さに設置されている。各発音体挟持部材１４は、所定の軟質材（例えば発泡ウレタン、発泡ポリエチレン）から成る細長い棒状に形成され、左右方向に延びている。そして、４つの発音体挟持部材１４により、各発音体１０は、長さ方向の所定の２箇所で上下から挟持されている。具体的には、発音体１０の全体の長さをＬとすると、両端から０．２２４Ｌの位置が挟持されている。これにより、各発音体１０は、ハンマー８で打たれたときに、上下の発音挟持部材１４、１４で挟持された前後２箇所を節として、最適に振動し、良好な音色を発することができる。
【００３７】
次に、図３〜図６を参照して、玩具ピアノ１における発音動作、具体的には、押鍵時における鍵６及びハンマー８の動作について説明する。図３は、前述した図２（ａ）と同様の離鍵状態を示している。この離鍵状態では、前述したように、ハンマー８は、突出爪９の前面９ａが筬５の後端部の摺接面５ｄに当接しており、鍵６とともに前後方向に一直線状に延びた姿勢になっている。
【００３８】
上記の離鍵状態から、図４（ａ）の白抜き矢印で示すように、鍵６の前端部を押し下げると、鍵６が前下がりに揺動する。この場合、ハンマー８は、その支軸８ａが鍵６のハンマー連結部７によって引き上げられ、これに伴い、突出爪９の前面９ａが筬５の摺接面５ｄに当接した状態のまま、これに沿って上方に摺動する。前述したように、筬５の摺接面５ｄは、揺動する鍵６の支点を中心とする円弧状であるため、ハンマー８は、押鍵によって前下がりに揺動した鍵６に対し、相対的な姿勢を維持したまま、すなわち、鍵６と一体に一直線状に延びた状態のまま、前下がりの姿勢となる。そして、この状態のまま、図４（ｂ）に拡大して示すように、ハンマー８の突出爪９の上面９ｂが、筬５のストッパ５ｅに下方から当接する。
【００３９】
この状態から、鍵６をさらに押し下げると、ハンマー８の支軸８ａがさらに引き上げられる。この場合、図５に示すように、ハンマー８は、ストッパ５ｅに当接した突出爪９の上面９ｂを支点として、反時計方向に回動するとともに、突出爪９の前面９ａが筬５の摺接面５ｄから離れる。
【００４０】
そして、図６に示すように、鍵６を最下位まで押し下げ、鍵６の前端下面が筬５の前端部の上面に当接したときには、ハンマー８は、その支軸８ａがさらに引き上げられることで、反時計方向にさらに回動する。この場合、ハンマー８は、鍵６に対して自由運動するように回動し、後端部のハンマー本体８ｂが発音体１０に下方から衝突して、これを打つ。これにより、押鍵された鍵６に対応する音が発生する。
【００４１】
なお、ハンマー本体８ｂは、側面形状がリング状に形成されているので、発音体１０に当たったときは、その反力で拉げやすくなっている。このため、押鍵時に、ハンマー本体８ｂが発音体１０を打ったときには、ハンマー本体８ｂが発音体１０に接触する時間を比較的長く確保でき、それにより、その発音体１０から良好な音色の音を発生させることができる。
【００４２】
以上詳述したように、本実施形態によれば、押鍵の開始当初、すなわちハンマー８の突出爪９が筬５のストッパ５ｅに当接するまでは、ハンマー８は、押鍵される鍵６に対して回動することなく、その鍵６とともに一直線状に延びた姿勢に保持されながら、鍵６と一体に揺動する。これにより、押鍵の開始当初から、鍵６にはハンマー８の重さが伝わり、それにより、適度なタッチ感を得ることができる。
【００４３】
また、ハンマー８の突出爪９が筬５のストッパ５ｅに当接した後は、ハンマー８は、ストッパ５ｅに当接した突出爪９の上面９ｂを支点として、上方の発音体１０側に回動し、後端部のハンマー本体８ｂによって発音体１０を打つ。この場合、押鍵強さが弱くても、突出爪９がストッパ５ｅに当接した後のハンマー８の回動を確保でき、その結果、ハンマー８が発音体１０を打つことで、音の発生を確保することができる。一方、押鍵強さが強いときには、ハンマー８が鍵６と一体に迅速に揺動するとともに、突出爪９のストッパ５ｅとの当接後、ハンマー８が勢い良く回動して発音体１０を打ち、大きな音が発生する。以上のように、本実施形態によれば、押鍵強さが弱いときの発音を確保できるとともに、押鍵強さに応じた音量を得ることができる。
【００４４】
さらに、押鍵時に、ハンマー８の突出爪９がストッパ５ｅに当接するまでは、ハンマー８が鍵６と一体に揺動することで、ハンマー８の重さが鍵６に伝わるとともに、突出爪９の前面９ａが摺接面５ｄを摺動する際の摩擦力により、タッチ感が比較的重く感じられる。そして、突出爪９がストッパ５ｅに当接すると、鍵６と一体のハンマー８の揺動が瞬間的に阻止されるとともに、ハンマー８が発音体１０側に回動する際の反力によって、タッチ感が急激に重くなる。以上のようなタッチ感の変化により、玩具ピアノ１において、本物のグランドピアノに近似したレットオフ感を得ることができる。
【００４５】
なお、本発明は、説明した上記実施形態に限定されることなく、種々の態様で実施することができる。例えば、本実施形態では、本発明のハンマー姿勢保持部としての摺接面５ｄを筬５の後端部に設けたが、本発明はこれに限定されるものではなく、突出爪９の前面９ａが摺接する摺接面を、筬５と別体に設けることも可能である。また、実施形態で示した鍵盤３、筬５、鍵６、ハンマー８、突出爪９及び発音体１０の細部の構成などは、あくまで例示であり、本発明の趣旨の範囲内で適宜、変更することができる。
【符号の説明】
【００４６】
１    玩具ピアノ
２    ケース
３    鍵盤
４    発音装置
５    筬
５ａ  鍵支持レール
５ｄ  摺接面（ハンマー姿勢保持部）
５ｅ  ストッパ
６    鍵
６ｃ  鍵の支点受け部
８    ハンマー
８ａ  支軸
８ｂ  ハンマー本体
９    ハンマーの突出爪
９ａ  突出爪の前面
９ｂ  突出爪の上面
１０    発音体
【図１】
0006554056.tif 000002
【図２】
0006554056.tif 000003
【図３】
0006554056.tif 000004
【図４】
0006554056.tif 000005
【図５】
0006554056.tif 000006
【図６】
0006554056.tif 000007